(57)【要約】【課題】原稿のデータサイズを予想ではなく正確に計測し、より多くの代替の印刷条件を提示して、限られた記憶容量でもより多くの原稿データの蓄積が可能となる画像形成装置等を提供する。【解決手段】原稿のプレスキャン開始後（ステップＳ４０３／ＹＥＳ）、１ページ目から画像データサイズを測定しデータサイズＶｉを決定し（ステップＳ４０５、ステップＳ４０６）、全ての原稿のプレスキャンが終了するまで総画像データサイズＶにＶｉを加算していく（ステップＳ４０７〜ステップＳ４０９）。プレスキャン終了後、原稿の総画像データサイズＶと蓄積可能データサイズＴとの比較でＶが大きい場合は（ステップＳ４１０／ＹＥＳ）、蓄積不可能として（ステップＳ４１２）、全ての原稿の画像データが蓄積可能となるような印刷条件を洗い出す（ステップＳ４１３）。【選択図】図４
2007243237.tif 000002
【特許請求の範囲】
【請求項１】
印刷条件を設定する設定手段と、
原稿を読み取る読取手段と、
前記読取手段により読み取られた原稿の画像データ量を算出する第１算出手段と、
前記読取手段により読み取られた原稿の画像データを蓄積する蓄積手段と、
前記蓄積手段における蓄積可能領域の容量を算出する第２算出手段と、
前記第１算出手段により算出された画像データ量と前記第２算出手段により算出された蓄積可能領域の容量とを比較し、前記画像データを前記蓄積手段に蓄積できるか否かを判定する判定手段と、
前記判定手段による判定結果に基づいて全ての原稿の画像データが蓄積可能となる印刷条件を提供する制御を行う制御手段と、
任意の画面を表示する表示手段とを有することを特徴とする画像形成装置。
【請求項２】
前記読取手段は、前記設定手段により設定された印刷条件に基づいた画像データ量の計測を目的とした原稿の読取りであるプレスキャンを行うことを特徴とする請求項１に記載の画像形成装置。
【請求項３】
前記判定手段は、前記読取手段により全ての原稿をプレスキャンした後に、前記第１算出手段により算出された画像データ量と前記第２算出手段により算出された蓄積可能領域の容量とを比較し、前記画像データを前記蓄積手段に蓄積できるか否かを判定することを特徴とする請求項２に記載の画像形成装置。
【請求項４】
前記判定手段は、前記読取手段により原稿１ページをプレスキャンするごとに前記第１算出手段により算出された画像データ量と前記第２算出手段により算出された蓄積可能領域の容量とを比較し、前記画像データを前記蓄積手段に蓄積できるか否かを判定することを特徴とする請求項２に記載の画像形成装置。
【請求項５】
前記制御手段は、前記第１算出手段により算出された画像データ量と前記第２算出手段により算出された蓄積可能領域の容量との比較で、前記画像データを前記蓄積手段に蓄積できないと前記判定手段により判定された場合は、全ての原稿が蓄積可能となる印刷条件を洗い出すことを特徴とする請求項３又は４に記載の画像形成装置。
【請求項６】
前記表示手段は、前記判定手段による判定結果を表示することを特徴とする請求項１から５のいずれか１項に記載の画像形成装置。
【請求項７】
前記表示手段は、前記制御手段により洗い出された印刷条件を表示し、
前記設定手段は、前記表示手段により表示された印刷条件のうち、ユーザに選択された任意の印刷条件を新たな印刷条件として設定することを特徴とする請求項６に記載の画像形成装置。
【請求項８】
前記表示手段は、いずれの機能を優先するかについて予め定められた機能優先度に基づいて、前記制御手段により洗い出された印刷条件の中で優先度の最も低い印刷条件を表示し、
前記設定手段は、前記表示手段により表示された優先度の最も低い印刷条件を新たな印刷条件として設定することを特徴とする請求項６に記載の画像形成装置。
【請求項９】
原稿の画像データを蓄積する蓄積手段を備える画像形成装置の画像形成方法であって、
印刷条件を設定する設定工程と、
原稿を読み取る読取工程と、
前記読取工程により読み取られた原稿の画像データ量を算出する第１算出工程と、
前記蓄積手段における蓄積可能領域の容量を算出する第２算出工程と、
前記第１算出工程により算出された画像データ量と前記第２算出工程により算出された蓄積可能領域の容量とを比較し、前記画像データを前記蓄積手段に蓄積できるか否かを判定する判定工程と、
前記判定工程による判定結果に基づいて全ての原稿の画像データが蓄積可能となる印刷条件を提供する制御を行う制御工程と、
任意の画面を表示する表示手段とを有することを特徴とする画像形成方法。
【請求項１０】
前記読取工程は、前記設定工程により設定された印刷条件に基づいた画像データ量の計測を目的とした原稿の読取りであるプレスキャンを行うことを特徴とする請求項９に記載の画像形成方法。
【請求項１１】
前記判定工程は、前記読取工程により全ての原稿をプレスキャンした後に、前記第１算出工程により算出された画像データ量と前記第２算出工程により算出された蓄積可能領域の容量とを比較し、前記画像データを前記蓄積手段に蓄積できるか否かを判定することを特徴とする請求項１０に記載の画像形成方法。
【請求項１２】
前記判定工程は、前記読取工程により原稿１ページをプレスキャンするごとに前記第１算出工程により算出された画像データ量と前記第２算出工程により算出された蓄積可能領域の容量とを比較し、前記画像データを前記蓄積手段に蓄積できるか否かを判定することを特徴とする請求項１０に記載の画像形成方法。
【請求項１３】
前記制御工程は、前記第１算出工程により算出された画像データ量と前記第２算出工程により算出された蓄積可能領域の容量との比較で、前記画像データを前記蓄積手段に蓄積できないと前記判定工程により判定された場合は、全ての原稿が蓄積可能となる印刷条件を洗い出すことを特徴とする請求項１１又は１２に記載の画像形成方法。
【請求項１４】
前記表示工程は、前記判定工程による判定結果を表示することを特徴とする請求項９から１３のいずれか１項に記載の画像形成方法。
【請求項１５】
前記表示工程は、前記制御工程により洗い出された印刷条件を表示し、
前記設定工程は、前記表示工程により表示された印刷条件のうち、ユーザに選択された任意の印刷条件を新たな印刷条件として設定することを特徴とする請求項１４に記載の画像形成方法。
【請求項１６】
前記表示工程は、いずれの機能を優先するかについて予め定められた機能優先度に基づいて、前記制御工程により洗い出された印刷条件の中で優先度の最も低い印刷条件を表示し、
前記設定工程は、前記表示工程により表示された優先度の最も低い印刷条件を新たな印刷条件として設定することを特徴とする請求項１４記載の画像形成方法。
【請求項１７】
請求項９から１６のいずれか１項に記載の画像形成方法を画像形成装置に実行させるためのプログラム。
【発明の詳細な説明】
【技術分野】
【０００１】
本発明は、画像形成装置、画像形成方法及びプログラムに関し、特に、記憶容量の限られた画像形成装置において複数枚の原稿データの処理実行後における記憶容量オーバを防止する技術に関するものである。
【背景技術】
【０００２】
従来から、複合機やコピー機等の画像形成装置では、電子ソート機能といった複数枚の原稿のデータを処理する機能が具備されており、ユーザに有効に活用されている。そして、該データ処理機能を実現するためには、画像形成装置が複数枚分のデータを蓄積できる記憶容量を備える必要がある。
【０００３】
ところが、ＨＤＤ（Hard Disk Drive）等の記憶装置を有しない記憶容量の小さい画像形成装置においては、蓄積できる原稿データの枚数が限られてしまうため、原稿読取りの途中で記憶容量オーバ状態となってしまう。つまり、データ処理機能を生かして複数枚の原稿を読み取っておきながら、結局は、全ての原稿をソート対応できない等、ユーザの要求を満たせない場合が発生するという問題があった。
【０００４】
例えば、特許文献１では、原稿の一部あるいは特定ページを実際に読み取ったデータ量や、過去からの原稿１枚の予測データ量及び原稿枚数によって、原稿全体の予想データサイズを算出し、記憶手段に十分な空き容量がない場合に、警告を発する画像記憶装置が開示されている。また、同文献による画像記憶装置では、記憶手段の空き容量が小さいと予測した場合、画像データの圧縮率を高くしたり、多値を２値に変換したりして記憶を行う。
【０００５】
また、例えば特許文献２では、１枚の原稿を１枚の記録紙や多数枚の記録紙に記録する場合は多値コピーを行い、多数枚の原稿を記録するソートコピー等の場合には蓄積可能なメモリ容量に応じて２値コピーを行うというように、多値コピーと２値コピーを併用することで画質と機能性のバランスがとれた画像形成装置が開示されている。当該画像形成装置では、ソート機能を用いるときに、蓄積可能なメモリ容量と原稿サイズの非圧縮データ量との比較を行ったうえで、多値コピーか２値コピーかを選択している。
【特許文献１】特開平５−３７７４７号公報
【特許文献２】特開２００１−１６４１８号公報
【発明の開示】
【発明が解決しようとする課題】
【０００６】
特許文献１の発明では、原稿全体のデータサイズを予想で算出しており、予想が実際のデータサイズを超えて記憶できない状態にならないよう、マージンを加算せざるをえない。しかし、より多くの原稿を記憶・蓄積しようとした場合、マージン分にあと１ページ分のデータが入ったとしても、それを検出し、記憶・蓄積することができないという問題があった。
【０００７】
また、特許文献２の発明では、蓄積可能なメモリ容量と原稿サイズの非圧縮データ量との比較に基づく選択肢が多値コピーか２値コピーかの２つしかなく、なるべく全てあるいはなるべく多くの原稿データを記憶・蓄積できるようにするためには、より多くの代替の印刷条件を提供できることが望ましい。
【０００８】
そこで、本発明は、原稿のデータサイズを予想ではなく正確に計測し、より多くの代替の印刷条件を提示して、限られた記憶容量でもより多くの原稿データの蓄積が可能となる画像形成装置等を提供することを目的とする。
【課題を解決するための手段】
【０００９】
かかる目的を達成するために、請求項１記載の発明は、画像形成装置において、印刷条件を設定する設定手段と、原稿を読み取る読取手段と、前記読取手段により読み取られた原稿の画像データ量を算出する第１算出手段と、前記読取手段により読み取られた原稿の画像データを蓄積する蓄積手段と、前記蓄積手段における蓄積可能領域の容量を算出する第２算出手段と、前記第１算出手段により算出された画像データ量と前記第２算出手段により算出された蓄積可能領域の容量とを比較し、前記画像データを前記蓄積手段に蓄積できるか否かを判定する判定手段と、全ての原稿の画像データが蓄積可能となる印刷条件を提供する制御を行う制御手段と、任意の画面を表示する表示手段とを有することを特徴とする。
【００１０】
また、請求項２記載の発明は、請求項１に記載の画像形成装置において、前記読取手段は、前記設定手段により設定された印刷条件に基づいた画像データ量の計測を目的とした原稿の読取りであるプレスキャンを行うことを特徴とする。
【００１１】
また、請求項３記載の発明は、請求項２に記載の画像形成装置において、前記判定手段は、前記読取手段により全ての原稿をプレスキャンした後に、前記第１算出手段により算出された画像データ量と前記第２算出手段により算出された蓄積可能領域の容量とを比較し、前記画像データを前記蓄積手段に蓄積できるか否かを判定することを特徴とする。
【００１２】
また、請求項４記載の発明は、請求項２に記載の画像形成装置において、前記判定手段は、前記読取手段により原稿１ページをプレスキャンするごとに、前記第１算出手段により算出された画像データ量と前記第２算出手段により算出された蓄積可能領域の容量とを比較し、前記画像データを前記蓄積手段に蓄積できるか否かを判定することを特徴とする。
【００１３】
また、請求項５記載の発明は、請求項３又は４に記載の画像形成装置において、前記制御手段は、前記第１算出手段により算出された画像データ量と前記第２算出手段により算出された蓄積可能領域の容量との比較で、前記画像データを前記蓄積手段に蓄積できないと前記判定手段により判定された場合は、全ての原稿が蓄積可能となる印刷条件を洗い出すことを特徴とする。
【００１４】
また、請求項６記載の発明は、請求項１から５のいずれか１項に記載の画像形成装置において、前記表示手段は、前記判定手段による判定結果を表示することを特徴とする。
【００１５】
また、請求項７記載の発明は、請求項６に記載の画像形成装置において、前記表示手段は、前記制御手段により洗い出された印刷条件を表示し、前記設定手段は、前記表示手段により表示された印刷条件のうち、ユーザに選択された任意の印刷条件を新たな印刷条件として設定することを特徴とする。
【００１６】
また、請求項８記載の発明は、請求項６に記載の画像形成装置において、前記表示手段は、いずれの機能を優先するかについて予め定められた機能優先度に基づいて、前記制御手段により洗い出された印刷条件の中で優先度の最も低い印刷条件を表示し、前記設定手段は、前記表示手段により表示された優先度の最も低い印刷条件を新たな印刷条件として設定することを特徴とする。
【００１７】
また、請求項９記載の発明は、原稿の画像データを蓄積する蓄積手段を備える画像形成装置の画像形成方法であって、印刷条件を設定する設定工程と、原稿を読み取る読取工程と、前記読取工程により読み取られた原稿の画像データ量を算出する第１算出工程と、前記蓄積手段における蓄積可能領域の容量を算出する第２算出工程と、前記第１算出工程により算出された画像データ量と前記第２算出工程により算出された蓄積可能領域の容量とを比較し、前記画像データを前記蓄積手段に蓄積できるか否かを判定する判定手段と、全ての原稿の画像データが蓄積可能となる印刷条件を提供する制御を行う制御工程と、任意の画面を表示する表示手段とを有することを特徴とする。
【００１８】
また、請求項１０記載の発明は、請求項９に記載の画像形成方法において、前記読取工程は、前記設定工程により設定された印刷条件に基づいた画像データ量の計測を目的とした原稿の読取りであるプレスキャンを行うことを特徴とする。
【００１９】
また、請求項１１記載の発明は、請求項１０に記載の画像形成方法において、前記判定工程は、前記読取工程により全ての原稿をプレスキャンした後に、前記第１算出工程により算出された画像データ量と前記第２算出工程により算出された蓄積可能領域の容量とを比較し、前記画像データを前記蓄積手段に蓄積できるか否かを判定することを特徴とする。
【００２０】
また、請求項１２記載の発明は、請求項１０に記載の画像形成方法において、前記判定工程は、前記読取工程により原稿１ページをプレスキャンするごとに、前記第１算出工程により算出された画像データ量と前記第２算出工程により算出された蓄積可能領域の容量とを比較し、前記画像データを前記蓄積手段に蓄積できるか否かを判定することを特徴とする。
【００２１】
また、請求項１３記載の発明は、請求項１１又は１２に記載の画像形成方法において、前記制御工程は、前記第１算出工程により算出された画像データ量と前記第２算出工程により算出された蓄積可能領域の容量との比較で、前記画像データを前記蓄積手段に蓄積できないと前記判定工程により判定された場合は、全ての原稿が蓄積可能となる印刷条件を洗い出すことを特徴とする。
【００２２】
また、請求項１４記載の発明は、請求項９から１３のいずれか１項に記載の画像形成方法において、前記表示手段は、前記判定工程による判定結果を表示することを特徴とする。
【００２３】
また、請求項１５記載の発明は、請求項１４に記載の画像形成方法において、前記表示工程は、前記制御工程により洗い出された印刷条件を表示し、前記設定工程は、前記表示工程により表示された印刷条件のうち、ユーザに選択された任意の印刷条件を新たな印刷条件として設定することを特徴とする。
【００２４】
また、請求項１６記載の発明は、請求項１４に記載の画像形成方法において、前記表示工程は、いずれの機能を優先するかについて予め定められた機能優先度に基づいて、前記制御工程により洗い出された印刷条件の中で優先度の最も低い印刷条件を表示し、前記設定工程は、前記表示工程により表示された優先度の最も低い印刷条件を新たな印刷条件として設定することを特徴とする。
【００２５】
また、請求項１７記載の発明は、請求項９から１６のいずれか１項に記載の画像形成方法を画像形成装置に実行させるためのプログラムである。
【発明の効果】
【００２６】
本発明によれば、原稿のデータサイズを予想ではなく正確に計測し、より多くの代替の印刷条件を提示して、限られた記憶容量でもより多くの原稿データの蓄積が可能となる画像形成装置等が実現される。
【発明を実施するための最良の形態】
【００２７】
図面を参照しながら、本発明の実施形態における画像形成装置について説明する。
【００２８】
まず、本実施形態の画像形成装置の構成について述べる。
【００２９】
図１は、本実施形態の画像形成装置の基本構成を示す機能ブロック図である。当該画像形成装置は、コピー機能、プリント機能、スキャナ機能を備える。また、該画像形成装置は、ＣＰＵ（Central Processing Unit）１０１、ＲＯＭ（Read Only Memory）１０２、ＲＡＭ（Random Access Memory）１０３、ＲＡＭ制御部１０４、スキャナエンジン１０５、スキャナ制御部１０６、画像読取部１０７、画像処理部１０８、ＮＶＲＡＭ（Non Volatile RAM）１０９、外部ホスト機器１１１、ホストＩ／Ｆ（Interface）制御部１１２、プリンタエンジン１１３、プリンタ制御部１１４、画像書込部１１５、操作部１１６及び操作部Ｉ／Ｆ制御部１１７から構成され、ＣＰＵバス１００を介して接続されている。
【００３０】
スキャナエンジン１０５は、コピー機能、スキャナ機能における画像の入力手段として役割を負い、スキャナ制御部１０６は、スキャナエンジン１０５の制御を司る。画像読取部１０７は、スキャナエンジン１０５からの出力データを取り込み、画像処理部１０８は、画像読取部１０７に取り込まれたデータに対して適したデジタル信号処理化が行われる。
【００３１】
なお、プリント機能における画像の入力手段として、外部ホスト機器１１１からの印刷データを受信するホストＩ／Ｆ制御部１１２があり、Ｉ／Ｆの種類としてはＩＥＥＥ（Institute of Electrical and Electronic Engineers）１２８４、ＵＳＢ（Universal Serial Bus）等のローカル接続や有線、無線によるイーサネット（登録商標）等のネットワーク接続がある。
【００３２】
プリンタエンジン１１３は印刷出力手段としての役割を負う。また、レーザー方式、ＬＥＤ（Light Emitting Diode）方式、インクジェット方式等の作像方式がある。プリンタ制御部１１４はプリンタエンジン１１３の制御を行い、画像書込部１１５は印刷データを入力する。
【００３３】
ＣＰＵ１０１は、ＣＰＵバス１００を介して各ブロックへの指示や制御等を行う。ＲＯＭ１０２は、ＣＰＵ１０１で実行されるプログラムを格納しており、システムによっては複数個搭載することで処理性能を向上させるシステムもある。
【００３４】
ＲＡＭ１０３は、ＲＡＭ制御部１０４を介してＣＰＵ１０１をはじめ、各ブロックの処理のデータ一時保存に活用される。ＲＡＭ制御部１０４は、ＲＡＭ１０３を制御する。ＮＶＲＡＭ１２１は、不揮発メモリであり、機器固有の情報（例えばコピー枚数のカウンタ値等）を保持させる用途に使われる。
【００３５】
操作部１１６は、機器操作のためのボタンや機器状態表示のためのインジケーター（ＬＥＤやＬＣＤ（Liquid Crystal Display）等の表示器、スピーカー等）等、ユーザとのマンマシンインターフェース部であり、操作部Ｉ／Ｆ制御１１７により操作部１１６との情報入出力を行う。
【００３６】
図２は、本実施形態の画像形成装置の操作部を示した図である。操作部２０１は、表示部２０２、テンキー２０３、リセットキー２０４、スタートキー２０５、クリアストップキー２０６及びアプリ切替えキー２０７を備えている。
【００３７】
表示部２０２では文字列やビットマップ等が表示される。テンキー２０３はコピーの印刷部数入力等の操作に用いられ、リセットキー２０４はコピーモードのリセット時に使用される。スタートキー２０５は、コピーや原稿読み取りの開始を指示する操作に用いられる。クリアストップキー２０６は、コピー作業の中断やコピー枚数のリセット時に使用される。アプリ切替えキー２０７は、コピー機能／プリンタ機能／スキャナ機能等の機能を切り替える操作に用いられる。
【００３８】
本実施形態では、キーボードをハードキーで構成しているが、これは液晶タッチパネル上に表示されるソフトキーボードでも代用可能である。
【００３９】
次に、本実施形態の画像形成装置の動作について、原稿のデータサイズが制約として大きく関わるソートコピーを例にとって説明する。
【００４０】
まず、コピー条件を操作部２０１にて設定し、原稿をセットして、画像データサイズ計測のためのスキャンであるプレスキャンを開始する。このときの開始のトリガは、スタートキー２０５でもよいし、表示部２０２上のソフトキーでもよい。図３は、スタートキー２０５で行う場合の操作部２０１の例を表したものである。
【００４１】
図４は、本実施形態の画像形成装置の制御動作を示すフローチャートである。図４を参照して、制御動作のフローについて説明する。
【００４２】
まず、原稿台に原稿をセットし（ステップＳ４０１）、コピー条件としてソート機能を選択して（ステップＳ４０２／ＹＥＳ）、プレスキャンをスタートさせる（ステップＳ４０３／ＹＥＳ）。
【００４３】
次に、原稿１ページ目からプレスキャンを開始し（ステップＳ４０５）、原稿１ページ目の画像データサイズを測定してＶｉを決定する（ステップＳ４０６）。そして、原稿の総画像データサイズＶに測定したデータサイズＶｉを加算する（ステップＳ４０７）。
【００４４】
Ｎページ目を超えるまで以上のステップを繰り返し（ステップＳ４０８、ステップＳ４０９）、原稿全てをプレスキャンしたら（ステップＳ４０８／ＹＥＳ）、原稿の総画像データサイズＶと蓄積可能データサイズＴとを比較する（ステップＳ４１０）。蓄積可能データサイズＴとは、スタート時点でのメモリ空き容量である。
【００４５】
原稿の総画像データサイズＶと蓄積可能データサイズＴとの比較で、Ｖの方が大きければ（ステップＳ４１０／ＹＥＳ）蓄積は不可能で（ステップＳ４１２）、全ての原稿の画像データが蓄積可能となるような印刷条件を洗い出す（ステップＳ４１３）。一方、Ｖの方が小さければ（ステップＳ４１０／ＮＯ）蓄積は可能で（ステップＳ４１１）、最初の印刷条件でその原稿をソート機能で対応することができる。
【００４６】
プレスタートを開始する前にリセットキーが押下されれば（ステップＳ４０３／ＮＯ、ステップＳ４０４／ＹＥＳ）、原稿の画像データの蓄積可否に関する計測、判定を行わない。
【００４７】
図５は、本実施形態の画像形成装置における別の制御動作を示すフローチャートである。図４と異なるのは、原稿を１ページプレスキャンするごとに、原稿の総画像データサイズＶと蓄積可能データサイズＴとの比較を行う点である。以下、説明する。
【００４８】
まず、原稿台に原稿をセットし（ステップＳ５０１）、コピー条件としてソート機能を選択して（ステップＳ５０２／ＹＥＳ）、プレスキャンをスタートさせる（ステップＳ５０３／ＹＥＳ）。
【００４９】
次に、原稿のプレスキャン開始後（ステップＳ５０５）、原稿１ページ目の画像データサイズを測定してＶｉを決定し（ステップＳ５０６）、原稿の総画像データサイズＶに測定したデータサイズＶｉを加算する（ステップＳ５０７）。
【００５０】
続いて、原稿の総画像データサイズＶと蓄積可能データサイズＴとを比較しＶの方が大きければ（ステップＳ５０８／ＹＥＳ）、蓄積は不可能で（ステップＳ５１２）、最初の印刷条件ではソート機能に対応できないため、全ての原稿の画像データが蓄積可能となるような別の印刷条件を洗い出す（ステップＳ５１３）。
【００５１】
一方、Ｖの方が小さいときは（ステップＳ５０８／ＮＯ）読み取ったページまでは蓄積が可能で最初の印刷条件でソート機能に対応できるため、Ｎページ目を超えるまで以上のステップを繰り返し（ステップＳ５０９、ステップＳ５１０）、１ページプレスキャンするごとに、原稿の総画像データサイズＶと蓄積可能データサイズＴの比較を行っていく（ステップＳ５０８）。
【００５２】
全ての原稿をプレスキャンしても、Ｖが小さければ（ステップＳ５０８／ＮＯ、ステップＳ５０９／ＹＥＳ）蓄積は可能で（ステップ５１１）、最初の印刷条件でその原稿をソート機能に対応させることができる。
【００５３】
プレスタートを開始する前にリセットキーが押下されれば（ステップＳ５０３／ＮＯ、ステップＳ５０４／ＹＥＳ）、原稿の画像データの蓄積可否に関する計測、判定を行わない。
【００５４】
上記の図４あるいは図５の制御により求められた結果は、操作部２０１における表示部２０２に表示される。図６は操作部２０１の表示部２０２に表示された表示例を示しており、（ａ）は蓄積不可能と判定された場合の表示例、（ｂ）蓄積可能と判定された場合の表示例を表している。
【００５５】
上述したように、原稿データが蓄積不可能と判定されると全ての原稿が蓄積可能となる印刷条件の洗出しを行う。以下、該洗出しについて述べる。
【００５６】
印刷条件の変更としては、例えば、カラーをモノクロにする、集約する（読取り時に変倍する場合）、解像度を下げるといったものが挙げられる。図７に示すような、印刷条件の変更内容とそれに対応するデータサイズ削減率を表したデータサイズ削減率表が、例えばＮＶＲＡＭ１０９に格納されている。
【００５７】
図７の削減率表によれば、例えば原稿の総画像データサイズＶが蓄積可能データサイズＴに対して２００％の場合、「集約なし」を「２ ｉｎ １」 に変更すれば、ＶはＴに対して１００％となり全原稿の画像データの蓄積が可能となる。また、同じ２００％の場合で、「写真モード」から「文字モード」に変更しても１００％以下となり蓄積可能となる。また、蓄積可能データサイズＴに対して原稿の総画像データサイズＶが２５０％の場合、「カラーモード」を「モノクロモード」に変更したうえで、「集約なし」を「２ ｉｎ １」に、あるいは「写真モード」を「文字モード」に変更すれば１００％以下となり蓄積可能となる。
【００５８】
上記のように、蓄積不可能の判定を受けて洗い出された印刷条件は、操作部２０１における表示部２０２に表示される。図８は、操作部２０１の表示部２０２における代替の印刷条件の表示例を示している。なお、代替の印刷条件を選択し、条件の変更を行うときは、変更にかかる条件のみが更新して設定され、変更にかかる条件以外は当初設定された印刷条件となる。
【００５９】
また、蓄積不可能の判定を受けて洗い出された代替の印刷条件について、あらかじめ登録された機能優先度に基づいて、変更する印刷条件として選択するように構成することもできる。つまり、どの機能を優先させるかによって変更する印刷条件が決まってくるので、その印刷条件を代替条件として選択されることになる。例えば、装置ではカラーモードが最も優先度が低い機能として登録されていた場合、「カラーモード」から「モノクロモード」への変更で蓄積可能となるときは、「カラー→モノクロ」が選択される。
【００６０】
また、上記の機能優先度に基づく印刷条件の選択において、装置が選択された印刷条件に自動的に設定するように構成してもよいし、変更の設定はユーザが行うように構成してもよい。図９は、変更の設定をユーザが行うように確認ボタンを設けた場合の表示例を表している。
【００６１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００６２】
【図１】本発明の実施形態に係る画像形成装置の基本構成を示した機能ブロック図である。
【図２】本発明の実施形態に係る画像形成装置の操作部を示した図である。
【図３】本発明の実施形態に係る画像形成装置の操作部を示した図である。
【図４】本発明の実施形態に係る画像形成装置における制御動作を示したフローチャートである。
【図５】本発明の実施形態に係る画像形成装置における制御動作を示したフローチャートである。
【図６】本発明の実施形態に係る画像形成装置の操作部を示した図である。
【図７】本発明の実施形態に係る画像形成装置における代替の印刷条件の洗出しを説明するための図である。
【図８】本発明の実施形態に係る画像形成装置の操作部を示した図である。
【図９】本発明の実施形態に係る画像形成装置の操作部を示した図である。
【符号の説明】
【００６３】
１０１    ＣＰＵ
１０２    ＲＯＭ
１０３    ＲＡＭ
１０４    ＲＡＭ制御部
１０５    スキャナエンジン
１０６    スキャナ制御部
１０７    画像読取部
１０８    画像処理部
１０９    ＮＶＲＡＭ
１１１    外部ホスト機器
１１２    ホストＩ／Ｆ制御部
１１３    プリンタエンジン
１１４    プリンタ制御部
１１５    画像書込部
１１６，２０１    操作部
１１７    操作部Ｉ／Ｆ制御部
２０２    表示部
２０３    テンキー
２０４    リセットキー
２０５    スタートキー
２０６    クリアストップキー
２０７    アプリ切替えキー
【図１】
2007243237.tif 000003
【図２】
2007243237.tif 000004
【図３】
2007243237.tif 000005
【図４】
2007243237.tif 000006
【図５】
2007243237.tif 000007
【図６】
2007243237.tif 000008
【図７】
2007243237.tif 000009
【図８】
2007243237.tif 000010
【図９】
2007243237.tif 000011